(57)【特許請求の範囲】
【請求項１】
保管物を収納する複数の保管庫用ユニットが内部に配列されたものであって、扉の開閉を許可する開閉許可手段と、権限認証を行う認証手段と、前記認証手段が正当な権限を認証した場合に前記扉の開閉を前記開閉許可手段に許可させる開閉許可制御手段と、が備えられた保管庫において、
前記保管物は、
前記保管物を識別する保管物識別ＩＤを記憶する第１接触式ＩＣチップの２つの端子が外部に露出する第１電子キーを有し、
前記保管庫用ユニットは、
前記第１電子キーが差し込まれる第１錠前と、
前記第１錠前に差し込まれた前記第１電子キーをロックする第１ロック手段と、
前記第１錠前に差し込まれた前記第１電子キーの前記２つの端子に接触して前記第１接触式ＩＣチップからデータを読み取る第１データ読み取り手段と、
前記第１データ読み取り手段が前記第１接触式ＩＣチップから読み取った前記保管物識別ＩＤを取得し、前記保管物を管理する保管物管理手段と、を有し、
前記第２電子キーが差し込まれる第２錠前と、
前記第２錠前に差し込まれた前記第２電子キーをロックする第２ロック手段と、
前記第２錠前に差し込まれた前記第２電子キーの前記２つの端子に接触して前記第２接触式ＩＣチップからユニット識別ＩＤを読み取ると共に、前記第１データ読み取り手段が読み取った前記保管物識別ＩＤを読み取る第２データ読み取り手段と、
前記第２データ読み取り手段が読み取った前記ユニット識別ＩＤを取得し、前記保管庫用ユニットを管理するユニット管理手段と、を有し、
前記保管庫用ユニットは、
前記保管庫用ユニットを識別する前記ユニット識別ＩＤを記憶する第２接触式ＩＣチップの２つの端子が外部に露出する第２電子キーを、有する
ことを特徴とする保管庫。
【請求項２】
請求項１に記載する保管庫において、
前記保管庫用ユニットは、
前記保管物を収納する間口毎に前記第１ロック手段を設け、
前記保管庫は、
前記認証手段が前記保管物の正当な使用権限を認証した場合に、権限認証された前記保管物を収納する間口に対応する前記第１ロック手段のロック解除を許可する第１ロック解除制御手段を有する
ことを特徴とする保管庫。
【請求項３】
請求項２に記載する保管庫において、
前記保管庫用ユニットを収納する間口毎に前記第２ロック手段を設け、
前記認証手段が前記保管庫用ユニットの正当な着脱権限を認証した場合に、権限認証された前記保管庫用ユニットを収納する間口に対応する前記第２ロック手段のロック解除を許可する第２ロック解除制御手段を有する
ことを特徴とする保管庫。
【請求項４】
請求項１乃至請求項３の何れか一つに記載する保管庫において、
前記保管庫用ユニットは、
前記第１電子キー又は前記第２電子キーが差し込まれる第３錠前と、前記第３錠前に差し込まれた前記第１電子キー又は前記第２電子キーをロックする第３ロック手段と、個人認証を行う個人認証手段と、前記個人認証手段が権限認証した場合に第１ロック手段による第１電子キーのロック、又は、前記第３ロック手段による前記第２電子キーのロックを解除する第３ロック解除制御手段と、を有する外部専用装置に接続されるものである
ことを特徴とする保管庫。
【請求項５】
請求項１乃至請求項４の何れか一つに記載する保管庫において、
前記保管物及び前記保管庫用ユニットの配置を画面表示する配置表示手段を有する
ことを特徴とする保管庫。
【発明の詳細な説明】
【技術分野】
【０００１】
本発明は、保管物を収納する複数の保管庫用ユニットが収納ボックスに配列された保管庫に関する。
【背景技術】
【０００２】
従来、オフィスにおいては、個人情報や機密情報が書き込まれたＣＤ−ＲＯＭやＵＳＢメモリ、ファイルなどを複数の人が共有して使用している。近年、個人情報保護法等により、情報の安全管理が要求されている。そのため、ＣＤ−ＲＯＭやＵＳＢメモリ、ファイルなどの保管物は、ＩＤカードなどで個人認証しなければ開閉できない保管庫に保管されている。このような保管庫の具体例として、例えば特許文献１記載の鍵保管庫がある。
【０００３】
図２０は、特許文献１に記載する鍵保管庫の外観斜視図である。
鍵保管庫は、持ち運び可能なケース１００に、複数のロックユニット１０１が縦横に配列されている。各ロックユニット１０１には、鍵ユニット１０２が着脱自在に保持されている。鍵ユニット１０２は、タグカード１０３にワイヤ１０４を介して鍵１０５が連結されている。
【０００４】
図２１は、図２０に示すロックユニット１０１の内部構造を示す図である。
ロックユニット１０１は、タグカード１０３に取り付けられたＩＣタグ１０７のデータを読み取るＩＣリーダ１０８が取り付けられている。ロックユニット１０１は、フックレバー１１０が揺動可能に軸支されている。ロックユニット１０１は、タグカード１０３の下方に、ソレノイド１１１がプランジャ１１２を図中上下方向に移動させるように配置されている。プランジャ１１２には、フックレバー１１０の揺動を規制するための水平板１１３が取り付けられている。
【０００５】
図２０に示す鍵管理装置１００は、鍵保管時には、図２１に示すように、ソレノイド１１１がプランジャ１１２を突出させ、水平板１１３を介してロックレバー１１０の揺動を規制している。ロックレバー１１０は、先端部１１０ａをタグカード１０３の切欠部１０３ａに引っ掛け、鍵ユニット１０２をロックユニット１０１から取り出せないようにしている。
【０００６】
鍵保管庫は、図示しない認証装置で個人認証すると、ケース１００を開くことを許可する。鍵保管庫は、個人認証したユーザが使用権限を有する鍵１０５を収納しているロックユニット１０１のＬＥＤ１０９を点灯させる。ユーザがケース１００に設けたテンキー１１５にキー番号を入力すると、鍵保管庫は、キー番号に対応するロックユニット１０１のソレノイド１１１に電圧を印加してプランジャ１１２を下方へ移動させ、水平板１１３をフックレバー１１０の後端部から外す。これにより、フックレバー１１０は揺動自在になる。従って、ユーザは、タグカード１０３を上方へ引っ張れば、フックレバー１１０の先端部１１０ａがタグカード１０３の切欠部１０３ａから外れ、鍵ユニット１０２をロックユニット１０１から取り外すことができる。
【０００７】
尚、鍵１０５の返却時には、上記と逆手順で行えばよい。このとき、鍵保管庫は、タグカード１０３のＩＣタグ１０７をＩＣリーダ１０８で読み取り、どのロックユニット１０１に鍵ユニット１０２が返却されたかを認識する。
【０００８】
このような鍵保管庫によれば、ケース１００に収納されるロックユニット１０１の構造が同じであり、鍵ユニット１０２の返却位置が限定されず、鍵１０５をケース１００に戻しやすい。
【０００９】
【特許文献１】特開２００６−２５７６４３号公報
【発明の開示】
【発明が解決しようとする課題】
【００１０】
（１）しかしながら、従来の鍵保管庫は、タグカード１０４のＩＣタグ１０７をＩＣリーダ１０８で非接触で読み取るときに、ＩＣタグ１０７が発生する電波が隣のＩＣタグが発生する電波と干渉して、ＩＣリーダ１０８がＩＣタグ１０７のデータを正確に読み取れないことがあった。
【００１１】
この点、出願人は、特願２００６−１８７８２０号において、個々の保管物が接触式ＩＣチップを取り付けられ、保管庫用ユニットが、個々の保管物に取り付けた接触式ＩＣチップの２つの端子に接触して接触式ＩＣチップからデータを読み取るユニット用データ読み取り手段と、保管庫用ユニットを識別するユニット用接触式ＩＣチップとを備え、保管庫が、ユニット用接触式ＩＣチップの２つの端子に接触してユニット用接触式ＩＣチップからデータを読み取る保管庫用データ読み取り手段を備える保管庫を提案している。
【００１２】
この技術によれば、保管庫用ユニットを保管庫に収納し、さらに各保管庫用ユニットに保管物を収納すれば、ユニット用データ読み取り手段が接触式ＩＣチップから読み取ったデータと、保管庫用データ読み取り手段がユニット用接触式ＩＣチップから読み取ったデータに基づいて、保管庫がどの保管庫用ユニットに何の保管物を収納しているかを自動的に認識するので、保管庫用ユニットの取り付けや交換が容易である。
【００１３】
出願人は、この技術を実施するに当たり、接触式ＩＣチップやユニット用接触式ＩＣチップの２つの端子を１個の電極板を折り曲げて弾性変形可能に構成し、その接触式ＩＣチップやユニット用接触式ＩＣチップの２つの端子の間にワイヤ状のユニット用データ読み取り手段と保管庫用データ読み取り手段を挿入して、接触式ＩＣチップやユニット用接触式ＩＣチップの２つの端子をユニット用データ読み取り手段と保管庫用データ読み取り手段に接触させることを試みた。この場合、１本のワイヤ状のユニット用データ読み取り手段と保管庫用データ読み取り手段には、複数の接触式ＩＣチップやユニット用接触式ＩＣチップの端子を接触させた。これによると、接触式ＩＣチップやユニット用接触式ＩＣチップは、２つの端子がユニット用データ読み取り手段と保管庫用データ読み取り手段を挟み込む弾性力が安定しないと、ユニット用データ読み取り手段と保管庫用データ読み取り手段から浮いて接触不良を生じ、データが読み取られない不具合を生じることが分かった。
【００１４】
（２）また、従来の鍵保管庫は、タグカード１０３の切欠部１０３ａにロックレバー１１０を引っ掛けることにより鍵ユニット１０２をロックし、鍵ユニット１０２をロックユニット１０１から取り出すときには、ソレノイド１１１によって揺動可能にされたロックレバー１１１をタグカード１０３を引っ張り上げることによって揺動させ、切欠部１０３ａから外していた。そのため、タグカード１０３の切欠部１０３ａが損傷しやすかった。タグカード１０３が損傷すると、権限のない第三者がタグカード１０３をロックユニット１１１から引き抜くことが可能となり、セキュリティが低かった。
【００１５】
そこで、本発明は、上記問題点を解決するためになされたものであり、接触式ＩＣチップのデータを確実に読み取って保管物管理の信頼性を向上させると共に、保管物を確実にロックしてセキュリレベルを高めることができる保管庫を提供することを目的とする。
【課題を解決するための手段】
【００１６】
上記目的を達成するために、本発明に係る保管庫は以下の構成を有する。
（１）保管物を収納する複数の保管庫用ユニットが内部に配列されたものであって、扉の開閉を許可する開閉許可手段と、権限認証を行う認証手段と、前記認証手段が正当な権限を認証した場合に前記扉の開閉を前記開閉許可手段に許可させる開閉許可制御手段と、が備えられた保管庫において、前記保管物は、前記保管物を識別する保管物識別ＩＤを記憶する第１接触式ＩＣチップの２つの端子が外部に露出する第１電子キーを有し、前記保管庫用ユニットは、前記第１電子キーが差し込まれる第１錠前と、前記第１錠前に差し込まれた前記第１電子キーをロックする第１ロック手段と、前記第１錠前に差し込まれた前記第１電子キーの前記２つの端子に接触して前記第１接触式ＩＣチップからデータを読み取る第１データ読み取り手段と、前記第１データ読み取り手段が前記第１接触式ＩＣチップから読み取った前記保管物識別ＩＤを取得し、前記保管物を管理する保管物管理手段と、を有する。
【００１７】
（２）（１）に記載の発明において、前記保管庫用ユニットは、前記保管庫用ユニットを識別するユニット識別ＩＤを記憶する第２接触式ＩＣチップの２つの端子が外部に露出する第２電子キーを有し、前記保管庫は、前記第２電子キーが差し込まれる第２錠前と、前記第２錠前に差し込まれた前記第２電子キーをロックする第２ロック手段と、前記第２錠前に差し込まれた前記第２電子キーの前記２つの端子に接触して前記第２接触式ＩＣチップから前記ユニット識別ＩＤを読み取ると共に、前記第１データ読み取り手段が読み取った前記保管物識別ＩＤを読み取る第２データ読み取り手段と、前記第２データ読み取り手段が読み取った前記ユニット識別ＩＤを取得し、前記保管庫用ユニットを管理するユニット管理手段と、を有する。
【００１８】
（３）（１）又は（２）に記載の発明において、前記保管庫用ユニットは、前記保管物を収納する間口毎に前記第１ロック手段を設け、前記保管庫は、前記認証手段が前記保管物の正当な使用権限を認証した場合に、権限認証された前記保管物を収納する間口に対応する前記第１ロック手段のロック解除を許可する第１ロック解除制御手段を有する。
【００１９】
（４）（２）又は（３）に記載の発明において、前記保管庫用ユニットを収納する間口毎に前記第２ロック手段を設け、前記認証手段が前記保管庫用ユニットの正当な着脱権限を認証した場合に、権限認証された前記保管庫用ユニットを収納する間口に対応する前記第２ロック手段のロック解除を許可する第２ロック解除制御手段を有する。
【００２０】
（５）（１）乃至（４）の何れか一つに記載の発明において、前記保管庫用ユニットは、前記第１電子キー又は前記第２電子キーが差し込まれる第３錠前と、前記第３錠前に差し込まれた前記第１電子キー又は前記第２電子キーをロックする第３ロック手段と、個人認証を行う個人認証手段と、前記個人認証手段が権限認証した場合に第１ロック手段による第１電子キーのロック、又は、前記第３ロック手段による前記第２電子キーのロックを解除する第３ロック解除制御手段と、を有する外部専用装置に接続されるものである。
【００２１】
（６）（２）乃至（５）の何れか一つに記載の発明において、前記保管物及び前記保管庫用ユニットの配置を画面表示する配置表示手段を有する。
【発明の効果】
【００２２】
上記構成を有する本発明の保管庫は、保管庫用ユニットの第１錠前に保管物の第１電子キーを差し込み、第１接触式ＩＣチップの２つの端子を第１データ読み取り手段に確実に接触させることにより、保管物識別ＩＤを確実に取得し、保管物を管理するので、保管物管理の信頼性が向上する。また、本発明の保管庫は、保管物の第１電子キーを保管庫用ユニットの第１ロック手段でロックするため、電子キーがロック時やロック解除時に損傷せず、初期ロック状態が維持されるので、セキュリレベルを高めることができる。
【００２３】
また、本発明の保管庫は、保管庫の第２錠前に保管庫用ユニットの第２電子キーを差し込み、第２接触式ＩＣチップの２つの端子を第２データ読み取り手段に確実に接触させることにより、ユニット識別ＩＤを取得し、保管庫用ユニットの配列を認識する。そして、各保管庫用ユニットは、保管庫の第２ロック手段によりロックされる。よって、本発明の保管庫によれば、保管庫用ユニットを正確に把握するとともに、各保管庫用ユニットをロックして無断持ち出しを禁止するため、セキュリティレベルを向上させることができる。
【００２４】
また、本発明の保管庫は、保管庫用ユニットの保管物を収納する間口毎に第１ロック手段を設け、保管庫の認証装置で使用権限を認証された保管物を収納する間口に対応する第１ロック手段についてのみロック解除を許可するので、扉を開いたときに使用権限のない保管物が持ち出されることを防止できる。
【００２５】
また、本発明の保管庫は、保管庫の保管庫用ユニットを収納する間口毎に第２ロック手段を設け、保管庫の認証装置で着脱権限を認証された保管庫用ユニットを収納する間口に対応する第２ロック手段についてのみロック解除を許可するので、扉を開いたときに着脱権限のない保管庫用ユニットが持ち出されることを防止できる。
【００２６】
また、本発明の保管庫は、保管物を収納する保管庫用ユニットの第２電子キーを外部専用装置の第３錠前に差し込み、第３ロック手段で第２電子キーをロックして保管庫用ユニットを外部専用装置に取り付ける。保管庫用ユニットは、第１電子キーを第１ロック手段でロックして保管物を持ち出せない状態にしている。外部専用装置の個人認証装置で保管物の使用権限が認証されると、権限認証された保管物に対応する第１ロック手段のロックを解除し、保管物を持ち出せる状態にする。保管庫用ユニットを外部専用装置から取り外す場合には、個人認証手段で個人認証してから第３ロック解除手段を操作することにより、第３ロック手段のロックを解除し、第２電子キーを第３ロック手段から抜き出して保管庫用ユニットを外部専用装置から取り外す。よって、本発明の保管庫によれば、保管庫用ユニットを保管庫と別の場所でも、セキュリティを確保しながら保管物を使用することができるので、利便性が良い。
【００２７】
また、本発明の保管庫は、保管庫用ユニットの配列や、各保管庫に収納される保管物の配置を認識し、それを配置表示手段に画面表示させるため、保管庫の扉を開かなくても、保管庫用ユニットと保管物の収納状況を確認することができ、便利である。
【発明を実施するための最良の形態】
【００２８】
次に、本発明に係る保管庫の一実施の形態について図面を参照して説明する。
【００２９】
（第１実施形態）
＜保管庫の全体構成＞
図１は、本発明の第１実施形態に係り、保管庫１の外観斜視図であって、扉４を開いた状態を示す。図２は、図１に示す保管庫１の外観斜視図であって、扉４を閉じた状態を示す。
図１及び図２に示すように、保管庫１は、２個の収納ボックス２を積み上げて固定したものである。第１実施形態では、保管庫１は、同一構造の収納ボックス２，２を使用するが、引き出し式など別構造の収納ボックスを使用していても良い。
【００３０】
図１に示すように、収納ボックス２は、一方に開口する箱状に形成した本体３を備える。本体３の開口部は、観音開き式の扉４，４によって開閉される。各収納ボックス２は、電子錠５（「開閉許可手段」の一例）が扉４に取り付けられ、電子錠５が解錠されているときに開閉を許可される。各収納ボックス２の本体３には、複数の棚８が水平に架設されている。各棚８には第１保管庫用ユニット１２や第２保管庫用ユニット１４がそれぞれ並べて配置されている。
【００３１】
図２に示すように、保管庫１は、上段の収納ボックス２に、権限の認証を行う認証装置６（「認証手段」の一例）が取り付けられている。認証装置６と各収納ボックス２の電子錠５は、制御装置７（「開閉許可制御手段」、「管理手段」、「第１ロック解除制御手段」、「第２ロック解除制御手段」の一例）に接続されている。
【００３２】
＜第１保管庫用ユニットとＵＳＢメモリユニット＞
図３は、図１に示す第１保管庫用ユニット１２の外観斜視図である。
第１保管庫用ユニット１２は、「保管物」の一例であるＵＳＢメモリ１１を複数収納するものである。ＵＳＢメモリ１１は、ワイヤ２１を介して電子キー２２（「第１電子キー」の一例）に連結され、ＵＳＢメモリユニット２０を構成している。
【００３３】
図４は、図３に示す電子キー２２の内部構造を示す図である。
電子キー２２は、金属製の差込体２３と樹脂製の樹脂ケース２４とＩＣチップ用基板２５を備える。差込体２３は、樹脂ケース２４に収容されている本体部２３ｅから差込部２３ｄが延設されている。本体部２３ｅには、ＩＣチップ用基板２５を収納するための開口部２３ａが形成されている。一方、差込部２３ｄには、一対のストッパ部２３ｂが反対向きに張り出すように設けられ、ストッパ部２３ｂと先端部との間に、ロック係止部２３ｃが形成されている。第１実施形態では、ロック係止部２３は円形状の孔で構成されている。
【００３４】
ＩＣチップ用基板２５には、接触式ＩＣチップ２６（「第１接触式ＩＣチップ」の一例）と、接触式ＩＣチップ２６の第１端子２７及び第２端子２８と、ＬＥＤ２９がはんだ付けで溶接されている。ＩＣチップ用基板２５は、延設部２５ａ，２５ｂが所定間隔を空けて平行に延設されている。第１端子２７と第２端子２８は、延設部２５ａ，２５ｂ上に取り付けられてバックアップされた状態で、差込体２３と絶縁されている。
【００３５】
図５は、図３に示す電子キー２２の接触式ＩＣチップ２６からデータを読み取る回路を示す図である。
電子キー２２は、第１整流ダイオードＤ１のアノード側が接触式ＩＣチップ２６に接続され、第１整流ダイオードＤ１のカソード側が第１端子２７に接続されており、第２端子２８から第１端子２７へ電流を流すようになっている。第１抵抗Ｒ１は、第１整流ダイオードＤ１と並列に設けられ、非線形素子である接触式ＩＣチップ２６に僅かな電流が流れたときでも第１整流ダイオードＤ１をＯＮ状態に切り替えられるようにしている。
【００３６】
また、電子キー２２は、接触式ＩＣチップ２６と並列にＬＥＤ２９が設けられている。第２整流ダイオードＤ２は、アノード側が第１端子２７に接続され、カソード側がＬＥＤ２９に接続されており、第１端子２７から第２端子２８へ電流を流すように配置されている。第２抵抗Ｒ２は、ＬＥＤ２９と第２端子２８との間に配置され、ＬＥＤ２９に流れる電流を安定させる。
【００３７】
図４に示すように、樹脂ケース２４は、中空状であるため、ＩＣチップ用基板２５が位置ずれする恐れがある。そのため、樹脂ケース２４は、ＩＣチップ用基板２５やＬＥＤ２９の周りに沿ってリブ２４ａが内側面に立設され、リブ２４ａと差込体２３との間でＩＣチップ用基板２５やＬＥＤ２９を位置決め保持している。
【００３８】
図３に示すように、樹脂ケース２４は、ＬＥＤ２９が外部に露出し、ＬＥＤ２９の点滅状態を目視できるようになっている。樹脂ケース２４の側面には、鍵番号を表示する鍵番号表示部２４ｂが設けられている。
【００３９】
図３に示すように、第１保管庫用ユニット１２は、金属を箱状に形成したユニット本体３１に取手３２が取り付けられている。ユニット本体３１には、複数のロックユニット３３が配列されている。各ロックユニット３３は、前面をユニット本体３１の外部に露出させるようにしてユニット本体３１に取り付けられている。
【００４０】
各ロックユニット３３の前面には、電子キー２２の差込部２３ｄを差し込むための差込口３４が設けられている。差込口３４の上方には、ＵＳＢメモリ１１を収納する間口の間口番号を表示する間口番号表示部３５が設けられている。各ロックユニット３３は、後述するロック機構３６を内蔵し、ＵＳＢメモリ１１の着脱を管理する。
【００４１】
そして、ユニット本体３１は、各ロックユニット３３の上方に、照光式押しボタンスイッチ３７（「第１ロック解除制御手段」の一例）が設けられている。照光式押しボタンスイッチ３７は、ロック解除可能な間口を照光によって知らせると共に、ロック機構３６のロック解除指示を入力するものである。
【００４２】
ユニット本体３１は、ロックユニット３３が露出する面（前面）と反対側の面（背面）に、ユニット用電子キー３８（「第２電子キー」の一例）が取り付けられている。ユニット用電子キー３８は、ＬＥＤ２９を備えない点を除き、上記電子キー２２と同一の構成を有する。ユニット用電子キー３８は、差込部２３ｄをユニット本体３１から背面側に突き出すように、ユニット本体３１に一体に取り付けられている。。また、ユニット本体３１の背面には、電力供給用配線や通信用配線をまとめたコネクタ３９が設けられている。
【００４３】
＜ロック機構＞
図６は、図３に示すロック機構３６の外観斜視図であって、ロック状態を示す。図７は、図６に示すロック機構３６の側面図である。図８は、図７に示すロック機構３６のＡ−Ｂ−Ｃ−Ｄ断面図である。図９は、図８に示すロック機構３６であって、ロック解除状態を示す。
ロック機構３６（「第１ロック手段」の一例）は、ロックユニット３３の箱状ケースに内設されている。ロック機構３６は、ソレノイド４２を駆動源として電子キー２２のロック又はロック解除を行う。ロック機構３６は、構造をコンパクトにするために、ソレノイド４２と可動体４５と錠前４６とを同軸上に配置している。
【００４４】
ロック機構３６は、ソレノイド４２を保持する保持部材４１を備える。保持部材４１は、ソレノイド４２の周りを覆うようにソレノイド４２に装着され、ロックユニット３３のケース天井に吊り下げるようにして固定される。ソレノイド４２に装填されたプランジャ４３は、ソレノイド４２へ非通電のときには、自重によってソレノイド４２から突き出し、ソレノイド４２への通電時には、ソレノイド４２内へ引っ込むように移動する。プランジャ４３の先端には、可動体４５が固定されている。プランジャ４３は、緩衝用ばね４４が傾き防止ピン４０によって傾きを防止された状態でプランジャ４３に装着され、ソレノイド４２内へ移動したときに可動体４５が保持部材４１にぶつかる衝撃を緩和するように配置されている。
【００４５】
可動体４５は、剛性がある金属を材質とし、ソレノイド４２の横幅と略同一幅の長方形状をなす。可動体４５は、開口部４５ａが打ち抜き等により長方形状に形成されている。可動体４５は、開口部４５ａの縁がプランジャ４３の移動方向に対して平行になるようにプランジャ４３に取り付けられている。開口部４５ａは、プランジャ４３の移動方向に対して平行な縁に、凹状の逃げ部４５ｂが線対称に設けられている。
【００４６】
錠前４６（「第１錠前」の一例）は、開口部４５ａに挿通できるように、樹脂を略直方体形状に形成したものである。錠前４６は、電子キー２２の差込部２３ｄが差し込まれる挿入部４６ａが形成され、その挿入部４６ａが開口する一端外周に、大径部４６ｃが円柱状に設けられている。錠前４６は、大径部４６ｃに開口する挿入部４６ａをロックユニット３３の差込口３４（図３参照）に位置合わせした状態で、ロックユニット３３のケース内壁に固定されている。
【００４７】
このようにロックユニット３３に固定される錠前４６は、可動体４５に対して、プランジャ４３の移動方向に沿って相対的に移動するように開口部４５ａに挿通されている。錠前４６は、開口部４５ａの縁と対向する部分に、一対の収納穴４６ｄ，４６ｄが線対称に開設されている。一対の収納穴４６ｄ，４６ｄは、プランジャ４３の移動方向に対して平行な側面から挿入部４６ａに連通するように開設されている。一対の収納穴４６ｄ，４６ｄには、それぞれスライド部材４９が摺動可能に装填されている。
【００４８】
スライド部材４９は、可動体４５が開口部４５ａの縁を収納穴４６ｄ上に配置している場合には、可動体４５によって挿入部４６ａ側へ押し出される一方、可動体４５が逃げ部４５ｂを収納穴４６ｄ上に配置する場合には、可動体４５によって挿入部４６ａ側へ押し出される力を解除される。第１実施形態では、スライド部材４９は、収納穴４６ｄの内壁との間に生じる摩擦を低減するためにボール形状をなす。また、スライド部材４９は、摩耗を少なくするために、金属を材質とする。
【００４９】
錠前４６の大径部４６ｃには、電子キー２２の差込部２３ｄを挿入部４６ａに差し込んだときに、ロック係止部２３ｃをスライド部材４９，４９に位置合わせするように、差込部２３ｄのストッパ部２３ｂを係止する係止凹部４６ｂが形成されている。大径部４６ｃは、係止凹部４６ｂから両側にそれぞれ９０度ずれた位置に、第１リードライト端子４７と第２リードライト端子４８（「第１データ読み取り手段」の一例）とを配置するための装着凹部４６ｅがそれぞれ形成されている。第１及び第２リードライト端子４７，４８は、電子キー２２をストッパ部２３ｂを係止凹部４６ｂの内壁に突き当てるように差込部２３ｄを挿入部４６ａに差し込んだときに、電子キー２２の第１端子２７と第２端子２８にそれぞれ接触するように、各装着凹部４６ｅに取り付けられている。
【００５０】
ここで、第１及び第２リードライト端子４７，４８が接触式ＩＣチップ２６にデータを読み書きするリードライト回路の一例について、図５を参照して説明する。
第１及び第２リードライト端子４７，４８は、接触式ＩＣチップ２６に設けた第１及び第２端子２７，２８に接触して第１及び第２端子２７，２８の極性を切り替えることにより、接触式ＩＣチップ２６にデータを読み書きすることと、ＬＥＤ２９に電流供給を供給することを交互に行う。
【００５１】
第１及び第２リードライト端子４７，４８は、ｃ接点がａ接点又はｂ接点に切り替えて接続されるようになっている。第１及び第２リードライト端子４７，４８は、タグリードライト切替制御信号を受信しない間は、ｃ接点がａ接点に接続し、タグリードライト切替制御信号を受信すると、ｃ接点がｂ接点に接続するように、接点切換が行われる。第１実施形態では、タグリードライト切替制御信号は、ＬＥＤ２９が発光する光とする。
【００５２】
第１リードライト端子４７のａ接点と第２リードライト端子４８のｂ接点は、グランドに接続されている。一方、第２リードライト端子４８のａ接点は、制御装置７の電力供給ポート７ａに接続されている。そして、第１リードライト端子４７のｂ接点は、制御装置７の信号入力ポート７ｂに接続している。プルアップ抵抗Ｒ３は、第２端子のａ接点と電源１６との間の接続点Ｐ１と、第１リードライト端子４７のｂ接点と信号入力ポート７ｂとの間の接続点Ｐ２とに接続し、電力供給ポート７ａから第１リードライト端子４７又は第２リードライト端子４８へ印加する電圧を５Ｖに安定させている。従って、第１及び第２リードライト端子４７，４８は、接点切替を行うと、第１及び第２端子２７，２８を流れる電流の向きが逆転し、極性を切り替える。
【００５３】
＜第２保管庫用ユニットとＣＤ−ＲＯＭ＞
図１０は、図１に示す第２保管庫用ユニット１４の外観斜視図である。図１１は、図１０に示す第２保管庫用ユニット１４にＣＤ−ＲＯＭ１３を収納した状態を示す。図１２は、図１０に示す第２保管庫用ユニット１４の背面図である。
第２保管庫用ユニット１４は、複数のＣＤ−ＲＯＭ１３を収納するものである。ＣＤ−ＲＯＭ１３を収容するケース１５には、電子キー５１（「第１電子キー」の一例）が取り付けられている。電子キー５１は、ケース１５の形状に合わせて樹脂ケース５２や差込体５４の本体部（図示せず）の形状を変えていることを除き、電子キー２２と同様の構成を有する。
【００５４】
図１３は、図１に示すＣＤ−ＲＯＭ１３の電子キー取り付け構造を示す図である。
電子キー５１は、樹脂ケース５２が長い板状をなし、一端に突起５２ａが設けられている。ケース１５のヒンジ側（図中手前側）を正面とした場合に、樹脂ケース５２が、突起５２ａをケース１５の縁に引っ掛けるようにしてケース１５に接着材などで貼付され、ケース１５の開閉を阻害しないように固定されている。樹脂ケース５２は、他端がケース１５の正面側へ突き出し、突き出した部分にＬＥＤ５３が視認可能に配設されている。樹脂ケース５２には、間口番号を表示する間口番号表示部５２ｂが設けられている。樹脂ケース５２は、金属製の差込体５４に設けた差込部２３ｄが外部に突出し、その差込部２３ｄの両側に第１及び第２端子２７，２８が配置されている。
【００５５】
図１０及び図１１、図１２に示すように、第２保管庫用ユニット１４は、ユニット本体６１の上面に取手６２が取り付けられている。ユニット本体６１は、剛性がある金属を材質とし、前面が開口する箱形状をなす。ユニット本体６１の下面内壁には、複数の仕切板によってケース１５を立てて収納する間口を複数備える収納プレート６３が一体若しくは溶接等により設けられている。収納プレート６３は、各間口毎に、間口番号を表示する間口番号表示部６３ａが設けられている。そして、ユニット本体６１は、各収納間口に対応する位置に、照光式ボタンスイッチ６４（「第１ロック解除制御手段」の一例）が設けられている。
【００５６】
ユニット本体６１は、収納プレート６３の奥側に、上述したロック機構３６を収容する収容部６１ａが設けられている。ロック機構３６は、収納プレート６３の各間口に対応するように収容部６１ａに配置されている。ロック機構３６は、錠前４６の挿入部４６ａが、ＣＤ−ＲＯＭ１３の収納時に電子キー５１の差込部２３ｄが移動する経路延長線上に配置されている。
【００５７】
そして、ユニット本体６１の背面側には、電子キー６５（「第２電子キー」の一例）が取り付けられている。電子キー６５は、ＬＥＤ２９を備えない点を除き、上述した電子キー２２と同様の構成である。電子キー６５は、差込部２３ｄを背面側に突出させ、差込部２３ｄの両側に１端子２７と第２端子２８が配置されている。また、ユニット本体６１の背面側には、電力供給用配線や通信用配線をまとめたコネクタ６６が設けられている。
【００５８】
＜収納ボックス＞
次に、収納ボックス２について説明する。図１４は、図１に示す収納ボックス２の外観斜視図であって、第２保管庫用ユニット１４を取り外した状態を示す。
収納ボックス２の各棚８には、第１保管庫用ユニット１２が５個、第２保管庫用ユニット１４が４個並べて配置される。各棚８には、上述したロック機構３６と同一構造のロック機構７５（「第２ロック手段」の一例）が収納段差部８ａに内設されている。各ロック機構７５は、プランジャ４３を水平方向に摺動させるように配置され、錠前４６の大径部４６ｃが収納段差部８ａから外部に露出している。収納段差部８ａの上面には、第１又は第２保管庫用ユニット１２，１４のコネクタ３９，６６が接続する接続ポート７１が、ロック機構７５に対応して設けられている。各棚８には、第１又は第２保管庫用ユニット１２，１４にそれぞれ対応する位置に、ユニットロック解除スイッチ７３（「第２ロック解除制御手段」の一例）が設けられている。ユニットロック解除スイッチ７３も、照光式のボタンスイッチである。
【００５９】
＜制御装置の電気ブロック構成＞
図１５は、図１に示す制御装置７の電気ブロック構成を示す図である。
制御装置７は、周知のマイクロコンピュータであって、データの加工演算を行うＣＰＵ９１と、プログラムを記憶するＲＯＭ９２と、プログラム実行時などにデータやプログラムを記憶するＲＡＭ９３と、プログラムやデータを記憶するＨＤＤ９４と、上位装置９８との通信を制御する通信インターフェース９５と、外部装置に接続されて信号の入出力を制御する外部インターフェース９６とを備える。また、ＣＰＵ９１は、電源９７に接続し、電力を供給される。
【００６０】
外部インターフェース９６には、各収納ボックス２に配置した電子錠５…と認証装置６が接続されている。また、外部インターフェース９６には、保管庫１を構成する収納ボックス２の棚８に設けた各ユニットロック解除スイッチ７３が接続されている。また、外部インターフェース９６には、棚８に設けた各ロック機構７５の第１及び第２リードライト回路４７，４８（「第２データ読み取り手段」の一例）とソレノイド４２が接続している。また、外部インターフェース９６には、収納ボックス２の接続ポート７１にコネクタ６６を介して接続する第１及び第２保管庫用ユニット１２，１４の各ロック機構３６と各照光式ボタンスイッチ３７，６４が接続している。特に、ロック機構３６は、第１及び第２リードライト回路４７，４８とソレノイド４２が外部インターフェース９６に接続されている。
【００６１】
また、ＨＤＤ９４には、保管庫１を管理する管理権限を有する者の個人識別情報と管理権限を有する保管庫１の識別情報とを関連付けて記憶するデータベースと、保管庫用ユニットを着脱する着脱権限を有する者の個人識別情報と着脱権限を有する保管庫用ユニットのユニット識別ＩＤとを関連付けて記憶するデータベースと、保管物を使用する使用権限を有する者の個人識別情報と使用権限を有する保管物の保管物識別ＩＤとを関連付けて記憶するデータベースなどを備える。尚、これらの情報は、上位装置９８に記憶させ、認証装置６が認証を行う度にネットワーク等を介して上位装置９８に問い合わせるようにしても良い。さらに、ＨＤＤ９４には、保管物や保管庫用ユニットの使用履歴（貸出時間、返却時間、貸出又は返却した人の個人識別情報、扉４の開閉時間など）が記憶されている。
【００６２】
第１実施形態では、制御装置７を上位装置９８にネットワークなどを介して接続し、複数の保管庫を上位装置９８で管理するようにしているが、安価且つ簡単に保管庫１を設置したい場合には、制御装置７を上位装置９８に接続せずにスタンドアローンで設置すると良い。
【００６３】
＜載置台＞
図１６は、図１に示す第１又は第２保管庫用ユニット１２，１４を着脱可能な外部専用装置の一例を示す図である。
「外部専用装置」の一例であるデータ読み取り機能付き載置台８１は、例えばデスク８０上に固定されている。載置台８１は、社員証のＩＣチップなどから個人ＩＤを読み取って個人認証する個人認証装置８２（「個人認証手段」の一例）が設けられている。載置台８１は、上述のロック機構３６と同一構造のロック機構８５（「第３ロック手段」の一例）を備える。ロック機構８５は、錠前４６の大径部４６ｃが載置台８１の外部に露出し、錠前４６（「第３錠前」の一例）に差し込まれた保管庫用ユニット１２，１４の電子キー３８，６５をロックするよう構成されている。また、載置台８１は、個人認証装置８２によって保管庫用ユニット１２，１４の着脱権限を認証した場合にロック機構８５のロックを解除するロック解除スイッチ８３（「第３ロック解除制御手段」の一例）と、ユニットのコネクタ３９，６６に接続する接続ポート８４を備える。
【００６４】
載置台８１は、図示しないコンセントを電源につなぎ、電力を供給される。載置台８１は、図示しないマイクロコンピュータを内蔵し、保管物の利用履歴を管理している。
【００６５】
＜搬送ケース＞
図１７は、図１に示す第１又は第２保管庫用ユニット１２，１４を着脱可能な外部専用装置の一例を示す図である。
「外部専用装置」の一例である搬送ケース８６は、１個又は２個以上の保管庫用ユニット１２，１４を収容するものである。搬送ケース８６には、可搬性を高めるために、取手８７を備える。搬送ケース８６には、載置台８１と同様、個人認証装置８２、ロック機構８５、ロック解除スイッチ８３、接続ポート８４が設けられている。
【００６６】
＜動作説明＞
＜保管庫の設置作業：保管庫用ユニットの取り付け＞
例えば、保管庫１の管理責任者甲は、図１に示す保管庫１を設置する場合、制御装置７に上位装置９８をネットワークを介して接続すると共に、制御装置７を電源９７に接続する。そして、甲は、第１及び第２保管庫用ユニット１２，１４を収納ボックス２の各棚８に配置して、ＵＳＢメモリ１１とＣＤ−ＲＯＭ１３を第１及び第２保管庫用ユニット１２，１４に収納する。
【００６７】
具体的には、保管庫１の設置時には、甲は、認証装置６に社員証などのＩＤカードを近づける。認証装置６が、ＩＤカードから読み取ったデータを制御装置７のデータベースに照合して管理権限を認証すると、制御装置７は、電子錠５を解錠し、収納ボックス２の開閉を許可する。制御装置７は、収納ボックス２の各ユニットロック解除スイッチ７３を点灯し、ロック解除可能であることを甲に知らせる。この時点では、ロック機構７５は、ソレノイド４２に電圧が印加されておらず、図６、図７、図８に示すように、プランジャ４３をソレノイド４２から突出させている。そのため、可動体４５は、逃げ部４５ｂが錠前４６の収納穴４６ｄからずれた位置に配置され、開口部４５ａの縁がスライド部材４９を錠前４６の挿入部４６ａ側に押し出している。よって、甲は、第１及び第２保管庫用ユニット１２，１４の電子キー３８，６５をロック機構７５の錠前４６に差し込み、第１及び第２保管庫用ユニット１２，１４を棚８に取り付けることができない。
【００６８】
そこで、甲は、例えば図１４に示すように、点灯しているユニットロック解除スイッチ７３の一つを押下する。制御装置７は、押下されたユニットロック解除スイッチ７３に対応するロック機構７５のソレノイド４２に電圧を印加する。すると、図９に示すように、ロック機構７５は、プランジャ４３がソレノイド４２に吸引され。可動体４５の逃げ部４５ｂを錠前４６の収納穴４６ｄにそれぞれ位置合わせする。これにより、一対のスライド部材４９は、可動体４５に設けた開口部４５ａの縁によって押される力を解除され、挿入部４６ａから退避可能になる。
【００６９】
例えば図１４に示すように、甲が第２保管庫用ユニット１４に設けた電子キー６５の差込部２３ｄを棚８に設けたロック機構７５の錠前４６に差し込むと、差込部２３ｄの先端部が一対のスライド部材４９，４９を押し分けて、挿入部４６ａの奥まで挿入される。第２保管庫用ユニット１４は、ストッパ部２３ｂが錠前４６に形成した係止凹部４６ｂの内壁に突き当たるまで電子キー６５の差込部２３ｄを錠前４６に差し込むと、電子キー６５のロック係止部２３ｃがスライド部材４９，４９の位置でちょうど停止する。またこのとき、電子キー６５は、第１及び第２端子２７，２８がロック機構７５の錠前４６に設けた第１及び第２リードライト端子４７，４８に擦れて接触する。第１及び第２端子２７，２８は、差込部２３ｄの両側においてＩＣチップ用基板２５の延設部２５ａ，２５ｂにバックアップされて変形を阻止されているので、第１及び第２２リードライト端子４７，４８に確実に接触する。
【００７０】
電子キー６５の接触式ＩＣチップ２６には、当該第２保管庫用ユニット１４を識別するためのユニット識別ＩＤや、収納プレート６３のレイアウト（間口番号など）などが記憶されている。制御装置７は、第２保管庫用ユニット１４の第１及び第２リードライト端子４７，４８が電子キー６５の接触式ＩＣチップ２６から読み取ったデータを、コネクタ６６と接続ポート７１を経由して取得し、保管庫１のどの棚８のどの位置に第２保管庫用ユニット１４が収納されたかを自動的に認識する。
【００７１】
ここで、制御装置７は、ソレノイド４２への通電を開始してから所定時間（例えば３０秒）が経過すると、ソレノイド４２への通電を停止する。すると、ソレノイド４２への通電を停止されたロック機構７５は、プランジャ４３がソレノイド４２から突出する方向に移動し、可動体４５の逃げ部４５ｂをスライド部材４９からずらし、開口部４５ａの縁でスライド部材４９を錠前４６の挿入部４６ａへ押し出し、電子キー６５のロック係止部２３ｃに嵌合させる。これにより、第２保管庫用ユニット１４は、電子キー６５がロック機構７５にロックされ、収納ボックス２から取り出せなくなる。
【００７２】
尚、第１保管庫用ユニット１２は、第２保管庫用ユニット１４と同様の手順で、電子キー３８を棚８に設けたロック機構７５にロックさせることにより、収納ボックス２に取り付けられ、保管庫１に収納されたことを制御装置７に自動認識される。
【００７３】
従って、保管庫１は、第１及び第２保管庫用ユニット１２，１４の電子キー３８，６５を保管庫１のロック機構７５にそれぞれ１個ずつ差し込み、各ロック機構７５の第１及び第２データ読み取り端子４７，４８に電子キー３８，６５の接触式ＩＣチップ２６から第１及び第２保管庫用ユニット１２，１４のユニット識別ＩＤを読み取らせるだけで、制御装置７のＨＤＤ９４に、各棚８に設けた間口にどの保管庫用ユニット１２，１４が収納されているかを示すユニット配置情報を自動的に記憶させることができる。
【００７４】
＜ＣＤ−ＲＯＭの収納＞
例えば、上記のように収納ボックス２に取り付けられた第２保管庫用ユニット１４は、コネクタ６６を介して保管庫１の制御装置７から電力を供給される。そのため、甲がＣＤ−ＲＯＭ１３を収納する際には、制御装置７が、第２保管庫用ユニット１４の照光式ボタンスイッチ６４を全て点灯させている。甲が、点灯している照光式ボタンスイッチ６４を押下すると、第２保管庫用ユニット１４は、制御装置７から供給される電力を利用して、押下された照光式ボタンスイッチ６４に対応するロック機構３６のロックを解除する。ロック機構３６のロック解除動作は、上述したロック機構７５と同様であるので説明を省略する。
【００７５】
そして、甲は、押下した照光式ボタンスイッチ６４に対応する間口にＣＤ−ＲＯＭ１３をケース１５ごと挿入し、電子キー５１の差込部２３ｄをロック機構３６の錠前４６に差し込む。ＣＤ−ＲＯＭ１３は、ストッパ部２３ｂを錠前４６の係止凹部４６ｂの内壁に突き当てるまで差込部２３ｄを錠前４６に差し込むと、第１及び第２端子２７，２８がロック機構３６の第１及び第２リードライト端子４７，４８に接触し、接触式ＩＣチップ２６のデータを読み取られる。
【００７６】
電子キー５１の接触式ＩＣチップ２６には、ＣＤ−ＲＯＭ１３を識別するＣＤ−ＲＯＭ識別ＩＤが記憶されている。第２保管庫用ユニット１４は、電子キー５１の接触式ＩＣチップ２６から読み取ったＣＤ−ＲＯＭ識別ＩＤをコネクタ６６を介して保管庫１の制御装置７に送信する。制御装置７は、ＣＤ−ＲＯＭ識別ＩＤを第２保管庫用ユニット１４の間口や収納日時、甲の個人識別情報などと関連付けて記憶する。
【００７７】
ここで、電子キー５１は、接触式ＩＣチップ２６の第１端子２７と第２端子２８の間に電流を利用してＬＥＤ５３が点灯する。甲は、ＣＤ−ＲＯＭ１３の収納時に電子キー５１の接触式ＩＣチップ２６が制御装置７にデータを読み取られないと、当該ＣＤ−ＲＯＭ１３が紛失した場合などに責任を負うことになる。そのため、甲は、ＬＥＤ５３が点灯するようにＣＤ−ＲＯＭ１３を第２保管庫用ユニット１４に収納するようになり、接触式ＩＣチップ２６のデータ読み取り不良を未然に防止できる。
【００７８】
尚、制御装置７は、照光式ボタンスイッチ６４を押下してから所定時間（例えば３０秒）が経過すると、ソレノイド４２への通電を停止し、ロック機構３６に電子キー５１をロックさせる。このロック方法は、上記ロック機構７５によるロックと同様であるので、説明を省略する。これにより、収納したＣＤ−ＲＯＭ１３が第２保管庫用ユニット１４から勝手に取り出せなくなる。
【００７９】
＜ＵＳＢメモリの収納＞
図３に示すように、ＵＳＢメモリ１１を第１保管庫用ユニット１２に収納する場合には、照光式ボタンスイッチ３７を押下してロック機構３６のロックを解除した後、電子キー２２の差込部２３ｄをロックユニット３３の差込部３４からロック機構３６の錠前４６に差し込む。ロック機構３６は、所定時間が経過すると、電子キー２２をロックし、ＵＳＢメモリ１１を第１保管庫用ユニット１２から勝手に取り出せないようにする。尚、電子キー２２をロック機構３６でロック又はロック解除する動作は、電子キー５１，６５をロック機構３６，７５でロック又はロック解除する場合と同様であるので、説明を省略する。
【００８０】
ＵＳＢメモリ１１の収納時には、電子キー２２は、ロック機構３６の第１及び第２リードライト端子４７，４８に接触式ＩＣチップ２６のデータが読み取られる。電子キー２２の接触式ＩＣチップ２６には、ＵＳＢメモリ１１を識別するＵＳＢ識別ＩＤなどが記憶されている。制御装置７は、ロック機構３６の第１及び第２リードライト端子４７，４８が電子キー２２の接触式ＩＣチップ２６から読み取ったデータを第１保管庫用ユニット１２のコネクタ３９を介して取得し、甲の識別番号と、当該ＵＳＢメモリ１１の収納日時と、当該ＵＳＢメモリのＵＳＢ識別ＩＤとを、当該ＵＳＢメモリ１１を収納した第１保管庫用ユニット１２の間口に関連付けて記憶する。
【００８１】
従って、保管庫１は、ＵＳＢユニット１１及びＣＤ−ＲＯＭ１３の電子キー２２，５１を第１及び第２保管庫用ユニット１２，１４に設けたロック機構３６にそれぞれ１個ずつ差し込むことにより、各ロック機構３６の第１及び第２データ読み取り端子４７，４８が電子キー２２，５１の接触式ＩＣチップ２６から読み取ったＵＳＢメモリ１１のＵＳＢ識別ＩＤ及びＣＤ−ＲＯＭ１３のＣＤ−ＲＯＭ識別ＩＤを、第１及び第２保管庫用ユニット１２，１４の電子キー３８，６５を介して制御装置７のＨＤＤ９４に自動的に記憶する。制御装置７のＨＤＤ９４には、第１及び第２保管庫用ユニット１２，１４に設けた各間口にどのＵＳＢメモリ１１又はＣＤ−ＲＯＭ１３が収納されているかを示す保管物配置情報が記憶される。
【００８２】
＜保管物の貸出＞
例えば、会社員乙のＩＤカードには、乙が使用権限を有するＵＳＢメモリ１１のＵＳＢ識別ＩＤと乙の個人識別情報が記憶されている。乙が、保管庫１の認証装置６にＩＤカードを近づけると、認証装置６は、ＩＤカードから乙の個人識別情報と使用権限とを読み出して権限認証を行う。制御装置７は、認証装置６が正当な使用権限が乙にあることを認証すると、乙が使用権限を有するＵＳＢメモリ１１を収納する収納ボックス２の電子錠５を解錠し、開閉を許可する。
【００８３】
乙が電子錠５を解錠された収納ボックス２の扉４を開くと、乙が使用権限を有するＵＳＢメモリ１１を収納する間口の照光式ボタンスイッチ３７が点灯し、取り出し可能なＵＳＢメモリ１１の所在を乙に明示している。乙は、点灯している照光式ボタンスイッチ３７を押下し、ロック機構３６によるロックを解除してから、ＵＳＢメモリ１１をロックユニット３３の差込口３４から引き抜いて持ち出す。尚、乙が、誤って消灯している照光式ボタンスイッチ３７を押下しても、制御装置７は、押下された照光式ボタンスイッチ３７に対応するロック機構３７のロックを解除しない。
【００８４】
制御装置７は、乙が扉４を閉じると、電子錠５を施錠し、扉４の開閉を制限する。そして、制御装置７は、それまで認識していたＵＳＢメモリ１１のＵＳＢ識別ＩＤを認識できなくなったことに基づいて、ＵＳＢメモリ１１が取り出されたことを認識する。そこで、制御装置７は、乙の個人識別情報と、乙が扉４を開閉した日時、乙が持ち出したＵＳＢメモリ１１のＵＳＢ識別ＩＤ、ＵＳＢメモリ１１を持ち出した日時、ＵＳＢメモリ１１が収納されていた間口などをを互いに関連付けて記憶する。
【００８５】
＜保管物の返却＞
乙は、持ち出したＵＳＢメモリ１１を返却する場合には、ＩＤカードを認証装置６に近づけ、電子錠５を解錠する。乙が、保管庫１の扉４を開くと、乙が使用可能な間口に対応する照光式ボタンスイッチ３７が点灯している。乙は、点灯している照光式ボタンスイッチ３７を押下してロック機構３６のロックを解除し、電子キー２２をロックユニット３３の差込口３４からロック機構３６の錠前４６に差し込む。制御装置７は、ロック機構３６の第１及び第２リードライト端子４７，４８が電子キー２２の第１及び第２端子２７，２８に接触して読み取ったＵＳＢ識別ＩＤや乙の個人識別情報を、ＵＳＢメモリ１１の返却日時、扉４の開閉時間、返却間口などに関連付けて記憶する。
【００８６】
尚、制御装置７がＵＳＢメモリ１１の返却を認識しないと、当該ＵＳＢメモリ１１が盗まれた場合に乙が責任を負うことになる。よって、乙は、電子キー２２のＬＥＤ２９が点灯するように、ＵＳＢメモリ１１を返却するようになり、電子キー２２に設けた接触式ＩＣチップ２６のデータ読み取り不良を人為的に回避できる。
【００８７】
＜保管庫用ユニットの持ち出し利用＞
例えば、社内会議の準備のために、ある部署の甲、乙、丙が、複数のＣＤ−ＲＯＭ１３を使用する場合、共有するＣＤ−ＲＯＭ１３が部署と別室の保管庫１に収納されたままだと、甲、乙、丙の間に行き違いが生じることがある。具体的には、例えば、乙が保管庫１にＣＤ−ＲＯＭ１３を取り出しに行ったものの、その直前に甲が当該ＣＤ−ＲＯＭ１３を保管庫１から持ち出している場合には、乙は甲から当該ＣＤ−ＲＯＭ１３を受け取るために部署へ戻る。乙が部署へ戻ったときに、甲が乙とすれ違いに別室の保管庫１へＣＤ−ＲＯＭ１３を返却した場合には、乙は再び別室の保管庫１へＣＤ−ＲＯＭ１３を借りに行かなければならない。このように、同じ部署の甲、乙、丙が、ＣＤ−ＲＯＭ１３を一緒に使用する場合には、すれ違いによる無駄が生じやすい。そうかといって、ＣＤ−ＲＯＭ１３を部署へ持ってきたまま、甲、乙、丙が使用すると、ＣＤ−ＲＯＭが紛失した場合に責任の所在が不明確になる。
【００８８】
この点、第１実施形態では、例えば、保管庫用ユニットの着脱権限を有する甲のデスク８０に載置台８１を固定しておく。甲のＩＤカードには、甲が着脱権限を有する保管庫用ユニットのユニット識別ＩＤが記憶されている。甲がＩＤカードを認証装置６に近づけ、認証装置６が、甲のＩＤカードから読み取った甲の個人識別情報とユニット識別ＩＤとに基づいて、甲が保管庫用ユニットの着脱権限を有することを認証すると、制御装置７は、甲が着脱権限を有する保管庫用ユニットを収納する収納ボックス２の電子錠５を解錠する。
【００８９】
甲が電子錠５を解錠された扉４を開くと、甲が着脱権限を有する保管庫用ユニット１２，１４を収納する間口のユニットロック解除スイッチ７３が点灯し、取り出し可能な保管庫用ユニット１２，１４の所在に明らかにしている。甲は、点灯しているユニット用ロック解除スイッチ７３のうち、社内会議の準備に必要なＣＤ−ＲＯＭが入った第２保管庫用ユニット１４を収納する間口のユニット用ロック解除スイッチ７３を押下し、ロック機構７５のロックを解除する。そして、甲は、第２保管庫用ユニット１４を手前にずらして電子キー６５を第２保管庫用ユニット１４のロック機構７５から抜くと共に、コネクタ６６を接続ポート７１から取り外し、第２保管庫用ユニット１４を保管庫１から持ち出す。
【００９０】
甲が扉４を閉じると、制御装置７は、扉４を閉じた後にで読み取れなくなったユニット識別ＩＤに基づいて、第２保管庫用ユニット１４が持ち出されたことを認識する。そこで、制御装置７は、持ち出された第２保管庫用ユニット１４のユニット識別ＩＤと、持ち出し日時と、甲の個人識別情報と、扉４の開閉時間と、第２保管庫用ユニット１４を収納していた間口などを互いに関連付けて記憶する。
【００９１】
甲は、第２保管庫用ユニット１４の取手６２を持ち、保管庫１から載置台８１へ第２保管庫用ユニット１４を運ぶ。甲は、コネクタ６６を載置台８５の接続ポート８４に接続し、電力を第２保管庫用ユニット１４に供給する。これにより、第２保管庫用ユニット１４は、認証装置８２、ロック解除スイッチ８３、ロック機構８５が動作可能な状態になる。
【００９２】
甲は、載置台８１のロック解除スイッチ８３を押下してロック機構８５のロックを解除する。そして、甲は、電子キー６５の差込部２３ｄをロック機構８５の錠前４６に差し込む。ロック機構８５は、所定時間経過後（例えばロック機構８５への通電開始後から３０秒後）に、第２保管庫用ユニット１４の電子キー６５をロックする。このロック方法は、ロック機構３６，７５と同様であるので説明を省略する。これにより、第２保管庫用ユニット１４が、載置台８１から他の場所へ勝手に持ち出せなくなる。載置台８１は、ロック機構８５の第１及び第２リードライト端子４７，４８が電子キー６５の第１及び第２端子２７，２８に接触して電子キー６５のＩＣチップ２６から読み取ったユニット識別ＩＤや、第１保管庫用ユニット１４に収納されているＣＤ−ＲＯＭ１３のＣＤ−ＲＯＭ識別ＩＤを取得し、第２保管庫用ユニット１４にどのようなＣＤ−ＲＯＭ１３が収納されているかを自動的に把握する。
【００９３】
例えば、乙が、載置台８１にセットした第２保管庫用ユニット１４からＣＤ−ＲＯＭ１３を取り出す場合には、個人認証装置８２にＩＤカードをかざす。個人認証装置８２が、ＣＤ−ＲＯＭ１３を使用する使用権限が乙にあると判断すると、載置台８１は、乙が使用権限を有するＣＤ−ＲＯＭ１３を収納する間口の照光式ボタンスイッチ６４を点灯させる。乙は、点灯する照光式ボタンスイッチ６４を押下してロック３６を解除し、ＣＤ−ＲＯＭ１３を持ち出す。
【００９４】
載置台８１は、第２保管庫用ユニット１４を介して読み取れなくなったＣＤ−ＲＯＭ識別ＩＤに基づいてＣＤ−ＲＯＭ１３の貸出を認識し、貸し出されたＣＤ−ＲＯＭ１３のＣＤ−ＲＯＭ識別ＩＤに乙の個人識別情報や、ＣＤ−ＲＯＭ１３の持ち出し日時、ＣＤ−ＲＯＭ１３が収納されていた間口などを関連付けて記憶する。
【００９５】
乙は、ＣＤ−ＲＯＭ１３を使用し終わったら、甲のデスク８０へ行ってＩＤカードを個人認証装置８２にかざす。そして、点灯している照光式ボタンスイッチ６４を押下してロック機構３６のロックを解除し、ＣＤ−ＲＯＭ１３を第２保管庫用ユニット１４に返却する。
【００９６】
載置台８１は、第２保管庫用ユニット１４を介して読み取るＣＤ−ＲＯＭ識別ＩＤが増えたことに基づいて、ＣＤ−ＲＯＭ１３が返却されたことを認識し、返却されたＣＤ−ＲＯＭ１３のＣＤ−ＲＯＭ識別ＩＤと、乙の個人識別情報と、返却日時と、返却された間口などを関連付けて記憶する。
【００９７】
このように、載置台８１は、保管庫１と同様、ＣＤ−ＲＯＭ１３の利用履歴を残しながら、就業時間の間、複数のＣＤ−ＲＯＭ１３を部署内で利用することが可能である。尚、ＣＤ−ＲＯＭ１３の利用履歴は、第２保管庫用ユニット１４に設けた電子キー６５の接触式ＩＣチップ２６にも記憶している。
【００９８】
尚、乙が使用しているＣＤ−ＲＯＭ１３を丙が使用したい場合には、丙は、乙にＣＤ−ＲＯＭ１３を載置台８１の第２保管庫用ユニット１４に返却してもらってから、そのＣＤ−ＲＯＭ１３を載置台８１の第２保管庫用ユニット１４から取り出して使用する。この場合でも、乙と丙は、別室の保管庫１へ行く必要がないので、ロスが少なくて済む。
【００９９】
甲は、退社時に、個人認証装置８２で権限認証した後、載置台８１のロック解除スイッチ８３を押下してロック機構３６のロックを解除し、第２保管庫用ユニット１４を載置台８１から取り外す。そして、第２保管庫用ユニット１４の取手６２を持って保管庫１へ第２保管庫用ユニット１４を運ぶ。それから、甲は、保管庫１の認証装置６で個人認証を行う。保管庫１は、甲のユニット着脱権限を認証すると、持ち出した第２保管庫用ユニット１４を返却する間口を備える収納ボックス２の電子錠５を解錠する。甲は、扉４を開いてユニットロック解除スイッチ７３を押下し、ロック機構７５のロックを解除する。そして、甲は、電子キー６５をロック解除したロック機構７５に差し込むと共に、コネクタ６６を接続ポート７１に接続し、第２保管庫用ユニット１４を戻す。それから、甲は扉４を閉じる。
【０１００】
保管庫１の制御装置７は、返却された第２保管庫用ユニット１４に設けた電子キー６５の接触式ＩＣチップ２６を介してユニット識別ＩＤとＣＤ−ＲＯＭ識別ＩＤを取得し、返却された第２保管庫用ユニット１４とＣＤ−ＲＯＭ１３を自動認識する。制御装置７は、返却された第２保管庫用ユニット１４のユニット識別ＩＤに甲の個人識別情報や、返却日時、扉４の開閉日時、返却間口などを関連付けて記憶する。
【０１０１】
また、制御装置７は、載置台８１で第２保管庫用ユニット１４を使用しているときに、電子キー６５の接触式ＩＣチップ２６に記憶したＣＤ−ＲＯＭ１３の利用履歴を、電子キー６５の接触式ＩＣチップ２６から吸い上げる。これにより、保管庫１は、別の場所で第２保管庫用ユニット１４を使用した場合でも、ＣＤ−ＲＯＭ１３の利用履歴を一元管理できる。
【０１０２】
ところで、例えば、第２保管庫用ユニット１４を外部の子会社へ貸し出す場合には、図１７に示すように、搬送ケース８６に第２保管庫用ユニット１４を収納し、持ち運べば良い。搬送ケース８６を開くには権限認証を要するため、セキュリティが高くなる。また、搬送ケース８６は、載置台８１と同様の機能を持つので、子会社でもＣＤ−ＲＯＭ１３を使用権限がある者にもに貸出し、ＣＤ−ＲＯＭ１３の使用履歴をとることができる。
【０１０３】
尚、第１及び第２保管庫用ユニット１２，１４は、それ自体に認証機能がない。そのため、第１及び第２保管庫用ユニット１２，１４は、保管庫１や載置台８１、搬送ケース８６など専用装置に接続されていなければ、使用権限の有無を問わず、電子キー２２，５１のロックを解除してＵＳＢメモリ１１やＣＤ−ＲＯＭ１３を第１及び第２保管庫用ユニット１２，１４から持ち出すことができず、セキュリティが高い。
【０１０４】
＜第１実施形態に係る保管庫の作用効果＞
以上説明したように、第１実施形態の保管庫１は、第１又は第２保管庫用ユニット１２，１４の錠前４６にＵＳＢメモリ１１の電子キー２２又はＣＤ−ＲＯＭ１３の電子キー５１を差し込み、剛性がある差込部２３ｄに沿って設けた接触式ＩＣチップ２６の２つの端子２７，２８をロック機構３６の第１及び第２データ読み取り端子４７，４８に確実に接触させる。これにより、制御装置７は、ＵＳＢ識別ＩＤとＣＤ−ＲＯＭ識別ＩＤを確実に取得し、ＵＳＢメモリ１１やＣＤ−ＲＯＭ１３を管理するので、保管物管理の信頼性が向上する。
【０１０５】
また、第１実施形態の保管庫１は、第１又は第２保管庫用ユニット１２，１４のロック機構３６に設けた可動体４５によって、ＵＳＢメモリ１１の電子キー２２又はＣＤ−ＲＯＭ１３の電子キー５１の剛性がある差込部２３ｄに設けたロック係止部２３ｃにスライド部材４９を嵌合させ、電子キー２２，５１をロックするため、電子キー２２，５１がロック時やロック解除時に損傷しない。よって、第１実施形態の保管庫１によれば、初期ロック状態が維持され、セキュリレベルを高めることができる。
【０１０６】
また、第１実施形態の保管庫１は、保管庫１の錠前４６に保管庫用ユニット１２，１４の電子キー３８，６５を差し込み、電子キー３８，６５の差込部２３ｄに沿って設けた接触式ＩＣチップ２６の２つの端子２７，２８を、保管庫１のロック機構７５に設けた第１及び第２データ読み取り端子４７，４８に確実に接触させる。これにより、制御装置７は、ユニット識別ＩＤを取得し、保管庫用ユニット１２，１４の配列を認識する。そして、各保管庫用ユニット１２，１４は、ロック機構５７の可動体４５によって、電子キー３８，６５に設けた差込部２３ｄのロック係止部２３ｃにスライド部材４９を嵌合させ、ロックされる。このように、第１実施形態の保管庫１によれば、保管庫用ユニット１２，１４を正確に把握するとともに、各保管庫用ユニット１２，１４をロックして無断持ち出しを禁止するため、セキュリティレベルを向上させることができる。
【０１０７】
また、第１実施形態の保管庫１は、第１及び第２保管庫用ユニット１４のＵＳＢメモリ１１及びＣＤ−ＲＯＭ１３を収納する間口毎にロック機構３６を設け、保管庫１の認証装置６で使用権限を認証されたＵＳＢメモリ１１又はＣＤ−ＲＯＭ１３を収納する間口に対応するロック機構３６についてのみ照光式ボタンスイッチ３７，６４によるロック解除を許可するので、扉４を開いたときに使用権限のないＵＳＢメモリ１１やＣＤ−ＲＯＭ１３が持ち出されることを防止できる。
【０１０８】
また、第１実施形態の保管庫１は、保管庫１の保管庫用ユニット１２，１４を収納する間口毎にロック機構７５を設け、保管庫１の認証装置６で着脱権限を認証された保管庫用ユニット１２，１４を収納する間口に対応するロック機構７５についてのみ照光式ボタンスイッチ７４によるロック解除を許可するので、扉４を開いたときに着脱権限のない保管庫用ユニット１２，１４が持ち出されることを防止できる。
【０１０９】
また、第１実施形態の保管庫１は、例えば図１６及び図１７に示すように、第１又は第２保管庫用ユニット１２，１４の電子キー３８，６５を、載置台８１や搬送ケース８６の錠前４６に差し込み、ロック機構８５で電子キー６５をロックして第１又は第２保管庫用ユニット１２，１４を載置台８１や搬送ケース８６に取り付ける。第１又は第２保管庫用ユニット１２，１４は、ＵＳＢメモリ１１の電子キー２２又はＣＤ−ＲＯＭ１３の電子キー５１をロック機構３６でロックしてＵＳＢメモリ１１又はＣＤ−ＲＯＭ１３を持ち出せない状態にしている。載置台８１や搬送ケース８６は、個人認証装置８２でＵＳＢメモリ１１又はＣＤ−ＲＯＭ１３の使用権限が認証されると、権限認証されたＵＳＢメモリ１１又はＣＤ−ＲＯＭ１３に対応するロック機構８５のロックを解除し、ＵＳＢメモリ１１又はＣＤ−ＲＯＭ１３を持ち出せる状態にする。第１又は第２保管庫用ユニット１２，１４を載置台８１又は搬送ケース８６から取り外す場合には、個人認証手段８２で個人認証した後、ロック解除スイッチ８３を押下してロック機構８５のロックを解除し、電子キー３８，６５をロック機構８５から抜き出して保管庫用ユニット１２，１４を載置台８１又は搬送ケース８６から取り外す。よって、第１実施形態の保管庫１によれば、保管庫用ユニット１２，１４を保管庫１と別の場所でも、セキュリティを確保しながらＵＳＢメモリ１１やＣＤ−ＲＯＭ１３を使用することができるので、利便性が良い。
【０１１０】
（第２実施形態）
次に、本発明の保管庫に係る第２実施形態について説明する。図１８は、本発明の第２実施形態に係る保管庫１Ａに設けた制御装置２Ａの電気ブロック図である。
第２実施形態の保管庫１Ａは、「配置表示手段」の一例である配置表示用パソコン９０が外付けされている点を除き、第１実施形態と同様の構成を有する。ここでは、第１実施形態と相違する点を中心に説明し、共通する点は図面に同一符号を付し、説明を適宜省略する。
【０１１１】
第２実施形態の保管庫１Ａは、制御装置７Ａに配置表示用パソコン９０が接続されている。制御装置７ＡのＨＤＤ９４には、保管庫１を構成する収納ボックス２の配置や、各収納ボックス２に収納される保管庫用ユニット１２，１４の配列を示すユニット配置情報、各保管庫用ユニット１２，１４に収納される保管物１１，１３の配列を示す保管物配置情報、各保管物の内容に関する情報、各保管物の利用履歴等が記憶されている。制御装置７Ａは、配置表示用パソコン９０からの要求に従って、配置表示用パソコン９０に表示させる画面の画データを生成し、配置表示用パソコン９０に送信する。
【０１１２】
図１９は、図１８に示す配置表示用パソコン９０に表示される画面の一例を示す図である。
例えば、配置表示用パソコン９０には、保管庫１Ａの外観図を表示する外観表示部９１と、外観表示部９１で選択された収納ボックス２の内部を表示する内部表示部９２が表示される。
【０１１３】
内部表示部９２には、例えば、第１及び第２保管庫用ユニット１２，１４と、ＵＳＢメモリ１１と、ＣＤ−ＲＯＭ１３が、間口に対応して表示される。保管庫用ユニット１２，１４や保管物１１，１３は、貸出中のものと、収納中のものとが識別可能に表示される。例えば、内部表示部９２には、例えば、貸出中の保管庫用ユニット１２，１４とＵＳＢメモリ１１は、収納中の保管庫用ユニット１２，１４とＵＳＢメモリ１１より薄く表示される。また例えば、内部表示部９２には、収納中のＣＤ−ＲＯＭ１３を赤色で表示し、貸出中のＣＤ−ＲＯＭ１３を白色で表示する。
【０１１４】
更に、配置表示用パソコン９０は、内部表示部９２に表示される保管庫用ユニット又は保管物を収納する間口がクリックされると、その間口に収納されている又は貸出前まで収納されていた保管物の利用履歴を制御装置７Ａに問い合わせ、問い合わせ結果を表示する。
【０１１５】
＜第２実施形態に係る保管庫の作用効果＞
例えば、甲は、保管庫１Ａの認証装置６にＩＤカードをかざして扉４を開く前に、配置表示用パソコン９０の外観表示部９１に表示される保管庫１Ａの外観図のうち、開きたい収納ボックス２をクリックする。すると、配置表示用パソコン９０は、クリックされた収納ボックス２のユニット配置情報と保管物配置情報を制御装置７に問い合わせる。制御装置７は、問い合わせがあったユニット配置情報と保管物配置情報をＨＤＤ９４から読み出して、収納ボックス２の内部レイアウトに対応した画データを生成し、配置表示用パソコン９０へ送信する。
【０１１６】
これにより、配置表示用パソコン９０の内部表示部９２には、収納ボックス２に収納された保管庫用ユニットと保管物の配列が表示される。例えば、内部表示部９２には、保管庫１Ａに設けた保管庫用ユニット１２、１４の間口毎に保管庫用ユニットが個別に表示され、また、保管庫用ユニット１２，１４に設けた保管物１１，１３の間口毎に、ＵＳＢメモリ１１，ＣＤ−ＲＯＭ１３が個別に表示される。
【０１１７】
制御装置７Ａは、第１及び第２保管庫用ユニット１２、１４とＵＳＢメモリ１１，ＣＤ−ＲＯＭ１３の配列を個別に認識してＨＤＤ９４に記憶しているため、例えば図１９に示すように、「間口１２，１６」に収納される「ＣＤユニット７，１１」の配置が反対であっても、配置表示用パソコン９０には、現実の配置状態に従って収納ボックス２の内部配列が表示される。
【０１１８】
内部表示部９２には、図１９に示すように、貸出中のＵＳＢユニットとＣＤユニットが薄く表示されている。そのため、甲は、例えば「ＵＳＢユニット１２」と「ＣＤユニット１」を借りたい場合には、内部表示部９２の表示内容から、「ＵＳＢユニット４」が貸出中で保管庫１Ａになく、「ＣＤユニット１」が保管庫１Ａ内にあることを、保管庫１Ａを開かなくても確認できる。
【０１１９】
この場合、甲は、「ＵＳＢユニット４」が収納されていた「間口４」をクリックすると、配置表示用パソコン９０に「ＵＳＢユニット４」の利用履歴が表示される。よって、甲は、最後に「ＵＳＢユニット４」を持ち出した者を特定し、「ＵＳＢユニット４」を簡単に探すことができる。
【０１２０】
また、甲は、例えば、図１９に示すように「ＵＳＢユニット１」の「間口１」に収容されているＵＳＢメモリ１１と、「ＵＳＢユニット５」の「間口５０」に収容されているＵＳＢメモリ１１を借りたい場合にも、内部表示部９２を見れば、「ＵＳＢユニット１」の「間口１」に収容されているＵＳＢメモリ１１が貸し出し中で、「ＵＳＢユニット５」の「間口５０」に収容されているＵＳＢメモリ１１が保管庫１Ａに収容されていることを、保管庫１Ａを開かなくても確認できる。この場合にも、甲は、「ＵＳＢユニット１」の「間口１」をクリックすると、貸出中のＵＳＢメモリ１１の利用履歴を確認し、ＵＳＢメモリ１１を使用している者を簡単に特定できる。
【０１２１】
従って、第２実施形態に係る保管庫１Ａによれば、甲が扉４を開かなくても、第１及び第２保管庫用ユニット１２，１４のユニット収納状況や、ＵＳＢメモリ１１やＣＤ−ＲＯＭ１３などの保管物の収納状況を確認することができ、便利である。
しかも、第２実施携帯に係る保管庫１Ａによれば、貸出中の保管庫用ユニット１２，１４や保管物１１，１３の利用履歴を配置表示用パソコン９０で確認し、保管庫用ユニット１２，１４や保管物１１，１３の貸出先を簡単に特定できるので、保管庫用ユニット１２１，１４や保管物１１，１３を探す手間を軽減することができる。
【０１２２】
尚、本発明は、上記実施の形態に限定されることなく、色々な応用が可能である。
上記実施形態では、第１及び第２保管庫用ユニット１２，１４に電力供給や通信を行うための配線を纏めたコネクタ３９，６６を設けたが、そのコネクタを電子キーの構造にしても良い。
上記実施形態では、ロック係止部２３ｃを貫通孔で構成したが、溝であっても良い。
上記実施形態では、ロック機構３６，７５の駆動手段としてソレノイドを使用したが、モータを駆動手段として使用しても良い。
【０１２３】
上記実施形態では、スイッチ回路式の第１及び第２リードライト端子４７，４８を第１及び第２データ読み取り手段の一例としたが、スイッチ機能を有しない端子で第１及び第２データ読み取り手段を構成しても良い。この場合、電子キー２２，３８，５１，６５の回路は、第１端子２７と第２端子２８との間を同一方向に流れる電流によって接触式ＩＣチップ２６の読み取りとＬＥＤ２９，５３の点灯を行うようにすると良い。
上記実施形態の搬送ケース８６に車輪を設け、台車のように使用しても良い。
【０１２４】
上記実施形態では、保管庫１に外付けする配置表示用パソコン９０を配置表示手段の一例としたが、保管庫１にもうけたディスプレイや、保管庫１と通信する携帯電話等の携帯端末装置のディスプレイを、配置表示手段としてもよい。
上記実施形態では、ＵＳＢメモリ１１を電子キー２２にワイヤ２１を介して連結したが、鍵を電子キー２２にワイヤ等で分離できないように連結してもよい。例えば、ビルの内装工事では、不特定の業者が各部屋の鍵を持ち出して利用する。従来、鍵は、保管庫から貸し出された時間と、保管庫に返却された時間しか把握されておらず、貸し出し時から返却時までの間、どのように使用されていたか把握できなかった。しかし、本発明によれば、各作業員は、鍵ユニット１２を保管庫１から借りて作業現場へ持ち出したり、搬送ケース８６に入れて作業現場に持ち出す。このとき、鍵ユニット１２の電子キー３８や搬送ケース８６は、どの部屋の鍵が何時に取り出されて何時に返却されたかの利用履歴を記憶する。保管庫１は、鍵ユニット１２の電子キー３８や搬送ケース８６に記憶された各鍵の利用履歴を吸い上げ、鍵の貸出時から返却時までの利用履歴を認識するので、保管庫用ユニットや保管庫のセキュリティレベルが向上する。
【０１２５】
上記実施形態では、保管庫１に収納する第１及び第２保管庫用ユニット１２，１４に保管物１１，１３を収納したが、保管庫用ユニットの一つを持ち出し専用ユニットとするとよい。この場合、ユーザは、種類が異なる保管物を持ち出し専用ユニットに収納して保管庫から持ち出し、載置台８１や搬送ケース８１で保管物の利用履歴をとりながら利用することが可能になるので、使用しない保管物まで保管庫から持ち出す必要がなくなり、保管物や保管庫用ユニットが取り扱いやすくなる。
また例えば、載置台８１をスタンドアローンにしたが、載置台８１をネットワークを介して上位装置２３に接続し、保管庫１から持ち出された保管庫用ユニット１２，１４や保管物１１，１３の所在を明らかにしてもよい。この場合、保管庫１やユーザのパソコンなどから貸し出された保管庫用ユニット１２，１４や保管物１１，１３の所在を確認できるようにすれば、ユーザが保管庫用ユニット１２，１４や保管物１１，１３の貸し出し先を探す手間を軽減できる。特に、ビルのロケーションと載置台８１の設置場所を制御装置７や上位装置２３に把握させれば、保管庫用ユニット１２，１４や保管物１１，１３の所在を画面上で一目瞭然に表示することが可能になる。
【０１２６】
また、上記実施形態では、例えば、搬送ケース８６に保管庫用ユニット１２，１４を収納したが、搬送ケース８６のロック機構８５にＵＳＢメモリ１１やＣＤ−ＲＯＭ１３の電子キー２２，５１を差し込んでロックするようにしてもよい。この場合も、個人認証装置８２で個人認証し、ロック解除スイッチ８３を押下すれば、電子キー２２，５１のロックを解除してＵＳＢメモリ１１やＣＤ−ＲＯＭ１３を搬送ケース８６から取り外すことができる。
【０１２７】
また例えば、搬送ケース８６にワイヤレスＬＡＮを設け、制御装置７が、搬送ケース８６に保管庫用ユニット１２，１４や保管物１１，１３を収納したことを確認することによって、搬送ケース８６に収納された保管庫用ユニット１２，１４や保管物１１，１３が社外へ持ち出される可能性を把握するようにしてもよい。これによれば、保管庫用ユニット１２，１４や保管物１１，１３が、社内よりも盗難の危険にさらされやすい社外へ持ち出されることを制御装置７が把握し、盗難に遭ったときに盗難場所などを限定しやすい。また、搬送ケース８６に記憶した利用履歴をワイヤレスＬＡＮを介して制御装置７に吸い上げれば、配線の手間を省くことが可能である。
【図面の簡単な説明】
【０１２８】
【図１】本発明の第１実施形態に係り、保管庫の外観斜視図であって、扉を開いた状態を示す。
【図２】図１に示す保管庫の外観斜視図であって、扉を閉じた状態を示す。
【図３】図１に示す第１保管庫用ユニットの外観斜視図である。
【図４】図３に示す電子キーの内部構造を示す図である。
【図５】図３に示す電子キーのＩＣチップからデータを読み取る回路を示す図である。
【図６】図３に示すロック機構の外観斜視図であって、ロック状態を示す。
【図７】図６に示すロック機構の側面図である。
【図８】図７に示すロック機構のＡ−Ｂ−Ｃ−Ｄ断面図である。
【図９】図８に示すロック機構であって、ロック解除状態を示す。
【図１０】図１に示す第２保管庫用ユニットの外観斜視図である。
【図１１】図１０に示す第２保管庫用ユニットにＣＤ−ＲＯＭを収納した状態を示す。
【図１２】図１０に示す第２保管庫用ユニットの背面図である。
【図１３】図１に示すＣＤ−ＲＯＭの電子キー取り付け構造を示す図である。
【図１４】図１に示す収納ボックスの外観斜視図であって、第２保管庫用ユニットを取り外した状態を示す。
【図１５】図１に示す制御装置の電気ブロック構成を示す図である。
【図１６】図１に示す第１又は第２保管庫用ユニットを着脱可能な外部専用装置の一例を示す図である。
【図１７】図１に示す第１又は第２保管庫用ユニットを着脱可能な外部専用装置の一例を示す図である。
【図１８】本発明の第２実施形態に係る保管庫に設けた制御装置の電気ブロック図である。
【図１９】図１８に示す配置表示用パソコンに表示される画面の一例を示す図である。
【図２０】特許文献１に記載する鍵保管庫の外観斜視図である。
【図２１】図２０に示すロックユニットの内部構造を示す図である。
【符号の説明】
【０１２９】
１  保管庫
２  収納ボックス
５  電子錠（開閉許可手段）
６  認証装置（認証手段）
７  制御装置（開閉許可制御手段、管理手段）
２６  接触式ＩＣチップ（第１、第２接触式ＩＣチップ）
２７  第１端子
２８  第２端子
３６  ロック機構（第１ロック手段）
４６  錠前（第１、第２、第３錠前）
４７  第１リードライト端子（第１、第２データ読み取り手段）
４８  第２リードライト端子（第１、第２データ読み取り手段）
３７、６４  照光式ボタンスイッチ（第１ロック解除手段）
７３  ユニットロック解除スイッチ（第２ロック解除手段）
７５  ロック機構（第２ロック手段）
８１  載置台（外部専用装置）
８２  個人認証装置（個人認証手段）
８５  ロック機構（第３ロック手段）
８３  ロック解除スイッチ（第３ロック解除手段）
８６  搬送ケース（外部専用装置）
９０  配置表示用パソコン（配置表示手段）
【図１】
0005170868.tif 000002
【図２】
0005170868.tif 000003
【図３】
0005170868.tif 000004
【図４】
0005170868.tif 000005
【図５】
0005170868.tif 000006
【図６】
0005170868.tif 000007
【図７】
0005170868.tif 000008
【図８】
0005170868.tif 000009
【図９】
0005170868.tif 000010
【図１０】
0005170868.tif 000011
【図１１】
0005170868.tif 000012
【図１２】
0005170868.tif 000013
【図１３】
0005170868.tif 000014
【図１４】
0005170868.tif 000015
【図１５】
0005170868.tif 000016
【図１６】
0005170868.tif 000017
【図１７】
0005170868.tif 000018
【図１８】
0005170868.tif 000019
【図１９】
0005170868.tif 000020
【図２０】
0005170868.tif 000021
【図２１】
0005170868.tif 000022